【事件の表示】
　特許第３２７６３６１号「ネットワークファクシミリ装置及びファクシミリ通信方法」の請求項１ないし８に係る特許に対する特許異議の申立てについて、次のとおり決定する。
【結　論】
　特許第３２７６３６１号の請求項１ないし８に係る特許を取り消す。
【理　由】
１．手続の経緯
　特許第３２７６３６１号の請求項１乃至８に係る発明についての出願は、平成１０年９月２９日に出願した特願平１０−２７４９２０号の一部を平成１１年９月９日に新たな特許出願した特願平１１−２５５２５０号の一部を、さらに平成１３年１月２６日に新たな特許出願したものであって、平成１４年２月８日にその発明について特許の設定登録がされ、その後、その請求項１乃至８に係る特許について、異議申立人キャノン株式会社により特許異議の申立てがなされ、取消理由通知がなされ、その指定期間内である平成１５年５月１９日に訂正請求がなされ、その訂正請求は平成１６年８月６日付の訂正請求取下書によって取り下げられた。
　
２．特許異議の申立てについて
２−１．申立の理由の概要
　特許異議申立人キャノン株式会社は、特許第３２７６３６１号の請求項１乃至８に係る発明の特許に対して、証拠として、甲第１号証（秘伝ＨＴＭＬ，ＣＧＩ，ＰｅｒｌによるＷｅｂプログラミング）、甲第２号証（特開平１０−１７３８９０号公報）、甲第３号証（特開平５−１４５８０号公報）、甲第４号証（特開平８−３０７７０２号公報）、甲第５号証（特開平３−２８９７５６号公報）を提出し、本件請求項１乃至８に係る発明の特許は特許法第２９条第２項の規定に違反してなされたものであるから、本件発明についての特許を取り消すべき旨主張している。
　　
２−２．本件発明
　特許第３２７６３６１号の請求項１乃至８に係る発明は、特許公報の特許請求の範囲の請求項１乃至８に記載された次の事項により特定されるとおりのものである。
「【請求項１】　電話回線を介して画情報を送受信するファクシミリ通信手段と、前記ファクシミリ通信手段で受信した画情報をファイル名を付けて蓄積する蓄積手段と、蓄積された画情報の受信リストと当該受信リスト中から選択された画情報の転送指示を行う指示ボタンとを１つの画面で表示する受信リストファイルを文書構造記述言語により生成するリスト生成手段と、前記受信リストファイルを要求のあった端末に送出し、前記指示ボタンが選択されると宛先番号を入力するためのファイルを端末に送出するＷＷＷサーバー手段と、前記端末から宛先番号を指定して送信指示を受けると、ファクシミリ転送のための処理を実行して指定された宛先番号へ選択された画情報を前記ファクシミリ通信手段からファクシミリ転送する制御手段とを具備し、前記受信リスト中から選択された画情報を表示することなく、前記指示ボタンで転送指示を行えるようにしたネットワークファクシミリ装置。
【請求項２】　電話回線を介して画情報を送受信するファクシミリ通信手段と、前記ファクシミリ通信手段にて送信する画情報をファイル名を付けて蓄積する蓄積手段と、蓄積された画情報の蓄積リストと当該蓄積リスト中から選択された画情報の転送指示を行う指示ボタンとを１つの画面で表示する蓄積リストファイルを文書構造記述言語により生成するリスト生成手段と、前記蓄積リストファイルを要求のあった端末に送出し、前記指示ボタンが選択されると宛先番号を入力するためのファイルを端末に送出するＷＷＷサーバー手段と、前記端末から宛先番号を指定して送信指示を受けると、ファクシミリ送信のための処理を実行して指定された宛先番号へ選択された画情報を前記ファクシミリ通信手段からファクシミリ送信する制御手段と、を具備し、前記蓄積リスト中から選択された画情報を表示することなく、前記指示ボタンで転送指示を行えるようにしたネットワークファクシミリ装置。
【請求項３】　電話回線を介して画情報を送受信するファクシミリ通信手段と、ネットワークを介して通信するネットワーク通信手段と、前記ファクシミリ通信手段で受信した画情報をファイル名を付けて蓄積する蓄積手段と、蓄積された画情報の受信リストと当該受信リスト中から選択された画情報の転送指示を行う指示ボタンとを１つの画面で表示する受信リストファイルを文書構造記述言語により生成するリスト生成手段と、前記受信リストファイルを要求のあった端末に送出し、前記指示ボタンが選択されると宛先番号又は電子メールアドレスを入力するためのファイルを端末に送出するＷＷＷサーバー手段と、前記端末から宛先番号を指定して送信指示を受けると、ファクシミリ転送のための処理を実行して指定された宛先番号へ選択された画情報を前記ファクシミリ通信手段からファクシミリ転送し、前記端末から電子メールアドレスを指定して送信指示を受けると、メール送信のための処理を実行して指定された電子メールアドレスへ選択された画情報を前記ネットワーク通信手段からメール送信する制御手段とを具備し、前記受信リスト中から選択された画情報を表示することなく、前記指示ボタンで転送指示を行えるようにしたネットワークファクシミリ装置。
【請求項４】　電話回線を介して画情報を送受信するファクシミリ通信手段と、ネットワークを介して通信するネットワーク通信手段と、前記ファクシミリ通信手段にて送信する画情報をファイル名を付けて蓄積する蓄積手段と、蓄積された画情報の蓄積リストと当該蓄積リスト中から選択された画情報の転送指示を行う指示ボタンとを１つの画面で表示する蓄積リストファイルを文書構造記述言語により生成するリスト生成手段と、前記蓄積リストファイルを要求のあった端末に送出し、前記指示ボタンが選択されると宛先番号又は電子メールアドレスを入力するためのファイルを端末に送出するＷＷＷサーバー手段と、前記端末から宛先番号を指定して送信指示を受けると、ファクシミリ送信のための処理を実行して指定された宛先番号へ選択された画情報を前記ファクシミリ通信手段からファクシミリ送信し、前記端末から電子メールアドレスを指定して送信指示を受けると、メール送信のための処理を実行して指定された電子メールアドレスへ選択された画情報を前記ネットワーク通信手段からメール送信する制御手段とを具備し、前記蓄積リスト中から選択された画情報を表示することなく、前記指示ボタンで転送指示を行えるようにしたネットワークファクシミリ装置。
【請求項５】　ファクシミリ通信手段が電話回線を介して受信した画情報をファイル名を付けて蓄積手段に蓄積し、蓄積された画情報の受信リストと当該受信リスト中から選択した画情報の転送指示を行う指示ボタンとを１つの画面で表示する受信リストファイルを文書構造記述言語により生成し、前記受信リストファイルを要求のあった端末に送出して、前記受信リスト中から選択された画情報を表示することなく、前記指示ボタンで転送指示を行えるようにし、前記指示ボタンが選択されると宛先番号を入力するためのファイルを端末に送出し、前記端末から宛先番号を指定して送信指示を受けると、ファクシミリ転送のための処理を実行して指定された宛先番号へ選択された画情報を前記ファクシミリ通信手段からファクシミリ転送することを特徴とするファクシミリ通信方法。
【請求項６】　ファクシミリ通信手段にて送信する画情報をファイル名を付けて蓄積手段に蓄積し、蓄積された画情報の蓄積リストと当該蓄積リスト中から選択された画情報の転送指示を行う指示ボタンとを１つの画面で表示する蓄積リストファイルを文書構造記述言語により生成し、前記蓄積リストファイルを要求のあった端末に送出して、前記蓄積リスト中から選択された画情報を表示することなく、前記指示ボタンで転送指示を行えるようにし、前記指示ボタンが選択されると宛先番号を入力するためのファイルを端末に送出し、前記端末から宛先番号を指定して送信指示を受けると、ファクシミリ送信のための処理を実行して指定された宛先番号へ選択された画情報を前記ファクシミリ通信手段からファクシミリ送信することを特徴とするファクシミリ通信方法。
【請求項７】　ファクシミリ通信手段が電話回線を介して受信した画情報をファイル名を付けて蓄積手段に蓄積し、蓄積された画情報の受信リストと当該受信リスト中から選択された画情報の転送指示を行う指示ボタンとを１つの画面で表示する受信リストファイルを文書構造記述言語により生成し、前記受信リストファイルを要求のあった端末に送出して、前記受信リスト中から選択された画情報を表示することなく、前記指示ボタンで転送指示を行えるようにし、前記指示ボタンが選択されると宛先番号又は電子メールアドレスを入力するためのファイルを端末に送出し、前記端末から宛先番号を指定して送信指示を受けると、ファクシミリ転送のための処理を実行して指定された宛先番号へ選択された画情報を前記ファクシミリ通信手段からファクシミリ転送し、前記端末から電子メールアドレスを指定して送信指示を受けると、メール送信のための処理を実行して指定された電子メールアドレスへ選択された画情報を前記ネットワーク通信手段からメール送信することを特徴とするファクシミリ通信方法。
【請求項８】　ファクシミリ通信手段にて送信する画情報をファイル名を付けて蓄積手段に蓄積し、蓄積された画情報の蓄積リストと当該蓄積リスト中から選択された画情報の転送指示を行う指示ボタンとを１つの画面で表示する蓄積リストファイルを文書構造記述言語により生成し、前記蓄積リストファイルを要求のあった端末に送出して、前記蓄積リスト中から選択された画情報を表示することなく、前記指示ボタンで転送指示を行えるようにし、前記指示ボタンが選択されると宛先番号又は電子メールアドレスを入力するためのファイルを端末に送出し、前記端末から宛先番号を指定して送信指示を受けると、ファクシミリ送信のための処理を実行して指定された宛先番号へ選択された画情報を前記ファクシミリ通信手段からファクシミリ送信し、前記端末から電子メールアドレスを指定して送信指示を受けると、メール送信のための処理を実行して指定された電子メールアドレスへ選択された画情報をネットワーク通信手段からメール送信することを特徴とするファクシミリ通信方法。」
　　
２−３．刊行物に記載された発明
　当審が平成１５年３月１８日付けで通知した取消理由で引用した刊行物は、刊行物１（秘伝　ＨＴＭＬ、ＣＧＩ、ＰｅｒｌによるｗｅｂプログラミングＰ２９３−３１６）、刊行物２（特開平１０−１７３８９０号公報）、刊行物３（特開平５−１４５８０号公報）、刊行物４（特開平８−３０７７０２号公報）、刊行物５（特開平３−２８９７５６号公報）である。
　
２−３−１．刊行物１（秘伝　ＨＴＭＬ、ＣＧＩ、ＰｅｒｌによるｗｅｂプログラミングＰ２９３−３１６）
　（ａ）「Ｗｅｂに基づいたファックスゲートウェイには、現行のスタンドアロンやネットワークパッケージが提供していない、多くの優れた点があります。
＋多くの場所からの管理。すなわち、インターネット接続とＷｅｂブラウザがあればどこからでも、ファックスの送信、受信、管理、あるいは印刷ができます。」（２９５頁第１３行〜第１７行）
　（ｂ）「ファックス管理画面
　ファックス管理画面のユーザーインターフェースには、受信したファックスのリストと、管理者がこれを処理するためのオプションが必要です。」（２９７頁第２９行〜第３１行）
　（ｃ）「ＨＴＭＬを使うと、複数選択が可能なリストやオプションのコマンドボタンを作り出すためのコードが書けます。Ｗｅｂにリストを配布することもできます。」（２９８頁第１４行〜第１５行）
　（ｄ）「ファックスの受信：ＭＧＥＴＴＹ
　ｇｅｔｔｙに相当するファックス受信プログラムを作成するのはＣＧＩの本来の機能では無いため、本書の範囲を越えています。幸いにも、ｍｇｅｔｔｙというすでに利用できるアプリケーションがあります。これは、Ｇｅｒｔ　Ｄｏｅｒｉｎｇ氏によって作られたｍｇｅｔｔｙ＋ｓｅｎｄｆａｘのパッケージの一部です。Ｃｌａｓｓ　２、すなわち２．０ファックスモデムでグループ３のファックを受け取ることができます。」（２９９頁第１行〜第６行）
　（ｅ）「ファックスの変換：Ｇ３ｔｏＧＩＦ．ＰＬ
　最初のスクリプトはｇ３ｔｏｇｉｆ．ｐｌです。Ｇ３ファックスをｍｇｅｔｔｙを使ってＧＩＦファイルに変換します。ＧＩＦファイルに変換してしまえば、グラフィックス対応のあらゆるＷｅｂブラウザで表示することができます。」（２９９頁第１２行〜第１５行）
　（ｆ）「さて、ファックスの一覧表を作るためには、ファックスディレクトリを読むサブルーチンが必要です。サブルーチンｒｅａｄ＿ｄｉｒはｌｓの出力からのデータの流れをオープンします。オプション−ｌｔはロング形式の一覧出力であること、時刻の逆順に並べることを意味しています：
　ｓｕｂ　ｒｅａｄ＿ｄｉｒ　｛
　　　ｏｐｅｎ　（ＦＡＸＤＩＲ，”ｌｓ　−ｌｔ　＄ＦＡＸＤＩＲ／．　｜”）；
　出力行は構成要素ごとに分けられます。各行に対して、日付、時刻、ファイル名はすべて選択可能なＨＴＭＬフォームリストの＜ＯＰＴＩＯＮ＞として送られます。」（３０４頁第２１行〜第２９行）
　（ｇ）「ファックス転送オプション
　管理画面にファックス転送のための［Ｆｏｒｗａｒｄｉｎｇ］ボタンを作成し、受信したファックスをだれか別の人にファックスできるようにします。ユーザーにファックス番号を入力させ、ＧＩＦファイルを逆にＧ３に変換し、ｓｅｎｄｆａｘを使ってファックスを送信します（ｓｅｎｄｆａｘの詳細と送付状の作成については、Ｃｈａｐｔｅｒ　１９「見積り作成システム」を参照してください）。」（３１６頁第１行〜第５行）
　（ｈ）「電子メールオプション
　このオプションは比較的簡単に追加できます。ユーザーは管理画面で、電子メールアドレスを入力し、ファックスを選択し、Ｅ−Ｍａｉｌボタンをクリックします。オプションプログラムは、ＧＩＦファイルをＭＩＭＥアタッチメントとして、指定された電子メールアドレスに送信します。」（３１６頁第６行〜第１０行）
と記載されている。
　
２−３−２．刊行物２（特開平１０−１７３８９０号公報）
　（ａ）「【００１７】本実施の形態においては、ＦＡＸサーバ１０は、ＷＷＷサーバを利用して実現されている。このように、本実施の形態においてはＷＷＷサーバの機能を利用してリモート操作可能なファクシミリ装置が実現されているため、クライアントとしては、ＷＷＷブラウザを利用することが可能となる。
【００１８】図１に示されているように、本実施の形態に係るＦＡＸサーバ１０は、ハイパーテキストトランスポートテキストデーモン（ｈｔｔｐｄ）のプログラムが稼動している。このｈｔｔｐｄ１２が稼動していることにより、ＷＷＷサーバとしての機能を果たしている。
【００１９】ＦＡＸサーバを利用するクライアントとしては、ＷＷＷブラウザの機能を有する装置であればどのようなものでも利用可能である。例えば、パーソナルコンピュータやＰＤＡ（パーソナルデジタルアシスタント）などに備えられているＷＷＷブラウザの機能を利用し、ＦＡＸサーバ１０にアクセスすることが可能である。このクライアントのＷＷＷブラウザの機能を単にブラウザ１００と呼ぶ。
【００２０】クライアントは、このブラウザ１００を用いてＦＡＸサーバ１０のｈｔｔｐｄ１２に対し、接続要求を行う（ＵＲＬ（ユニフォームリソースロケータ）指示）。ここで、クライアントはＷＷＷサーバに対する接続の要求をする際のＵＲＬとしてＦＡＸサーバ１０のＵＲＬを指示することにより、ＦＡＸサーバ１０の機能を利用することが可能となる。ブラウザ１００を介して指示されたＵＲＬの内容にしたがって、ｈｔｔｐｄ１２は、ＦＡＸ送信画面をブラウザ１００（クライアント上で稼働している）に送信する。このＦＡＸ送信画面はＨＴＭＬ（ハイパーテキストマークアップランゲージ）で記述されている。このＦＡＸ送信画面は、ｈｔｔｐｄ１２がＨＴＭＬファイル１４からＨＴＭＬで記述されたファイルを取り出し、ブラウザ１００に返送することにより行われる。クライアント上で稼働しているブラウザ１００は返送されてきたＨＴＭＬのファイルに基づき、ユーザに対しＦＡＸ送信画面を表示する。このようなＦＡＸ送信画面の例が図２に示されている。
【００２１】この図２に示されているように、本実施の形態におけるＦＡＸサーバ１０はクライアントに対し、ＨＴＭＬを用いることにより文書名やパス名などのパラメータの設定を行わせるのである。具体的には、図２に示されているように、ユーザはブラウザ１００によって表示されたＦＡＸ送信画面において、文書名、パス名、ＦＡＸ番号、カバーシートの有無、解像度、更にそのファクシミリに付すべきコメントを、それぞれ入力することが可能である。」（刊行物２、段落【００１７】〜【００２１】）
　（ｂ）「【００２３】また、図２に示されているように、各種のパラメータを設定した後、ユーザは送信ボタン３０を押下（クリック）することにより、実際にファクシミリの送信動作を行わせることができる。なお、図２に示されている画面にはリセットボタン３２も備えられており、このリセットボタン３２をユーザがクリックすることにより、文書名などの各種パラメータの値をリセットすることが可能である。
【００２４】ユーザが送信ボタン３０をクリックすると、ブラウザ１００から文書名などのパラメータがｈｔｔｐを用いてＦＡＸサーバ１０に送信される。パラメータが送信されてくると、このＦＡＸサーバ１０上で稼働しているｈｔｔｐｄ１２はＦＡＸサービスを起動し、ブラウザ１００から送信されてきたパラメータの内容をこのＦＡＸサービスに送付する。」（刊行物２、段落【００２３】、【００２４】）
　（ｃ）「【００２５】本実施の形態において特徴的なことは、このＦＡＸサービスの機能がＣＧＩプログラムで実現されていることである。ＣＧＩ（コモンゲートウェイインターフェース）プログラムは、ＷＷＷ上で起動され動作を行うプログラムであり、標準プログラムと呼ばれる場合もある。このＣＧＩプログラム１６は、ｈｔｔｐｄ１２から送付されたパラメータの内容（ユーザが入力した内容）を解析する。そして、その解析内容に基づき、カバーシートがある場合にはそのカバーシート上へ文書名、コメントを入力し、またパラメータに基づきファクシミリの解像度を指定する。これらのカバーシートの使用の有無や、解像度はＦＡＸ送信部分に送付される。ＦＡＸ送信部分は、図１に示されているようにＦＡＸフォーマット生成／送信部２０と、ＦＡＸ通信部２２とから構成される。これらＦＡＸフォーマット生成／送信部２０及びＦＡＸ通信部２２は既存のソフトウエアがそのまま利用可能である。
【００２６】ＦＡＸフォーマット生成／送信部２０は、ＣＧＩプログラム１６からの解像度などの指定に基づきいわゆるＦＡＸフォーマットを生成する。このＦＡＸフォーマットの生成の際には、送信対象である文書が文書ファイル１８から取り出されて利用される。生成されたＦＡＸフォーマットはＦＡＸ通信部２２に送信される。ＦＡＸ通信部２２はファクシミリの送信先のファクシミリ装置を電話回線を通じて呼び出し、ＦＡＸフォーマットの送信を行う。ＦＡＸ送信の結果はＦＡＸ通信部２２からＦＡＸフォーマット生成／送信部２０に報告される。ＦＡＸフォーマット生成／送信部２０はこのファクシミリの送信結果をＣＧＩプログラム１６に返送する。この送信結果の返送は図１においてＢで示されている。このＦＡＸの送信結果の値は、「ＯＫ」や「ＮＧ」である。ＦＡＸの送信が成功裏に終了すれば値は「ＯＫ」であり、ＦＡＸの送信の相手先が話し中などによりＦＡＸの送信が失敗した場合には値は「ＮＧ」となる。ＣＧＩプログラム１６はこのＦＡＸ送信結果をＨＴＭＬを通じてブラウザ１００に対し報告する。クライアントはこのブラウザ１００の画面を見ることによりファクシミリの送信が成功したか否かを知ることが可能である。」（刊行物２、段落【００２５】、【００２６】）
　（ｄ）「【００４５】以上述べたように、本実施の形態によればリモート操作可能なファクシミリ装置を、既存のＷＷＷのメカニズムにより実現している。その結果、既存のＷＷＷブラウザからファクシミリの送信指示が可能となる。更に、図２などに説明したようにファクシミリ送信画面は、サーバ上のＨＴＭＬで記述されているため、処理すべき機能が変更されたり、新たな処理機能が追加された場合においてもサーバ側のＨＴＭＬを変更するだけで対応可能であり、クライアント側では何らプログラムの変更は必要とならない。」（刊行物２、段落【００４５】）
　（ｅ）「【００４７】【発明の効果】以上述べたように、第１に、本発明によれば、クライアントの要求に応じ所定の文書を外部のファクシミリ装置に送信するため、クライアントは利用者で文書をもっていない場合においてもファクシミリの送信を行うことが可能である。特に、クライアントの近傍にあるファクシミリ装置を指定することにより、所望の文書を利用者の近傍に存在するファクシミリ装置から取り出すことが可能となる。」（刊行物２、段落【００４７】）
　（ｆ）上記の記載より刊行物２には次のことが記載されている。
「文書が蓄積されている文書ファイル１８と、
　ＨＴＭＬ（ハイパーテキストマークアップランゲージ）で記述され、文書名、パス名、ＦＡＸ番号、カバーシートの有無、解像度、更にそのファクシミリに付すべきコメントを、それぞれ入力することが可能であるＦＡＸ送信画面を記憶しているＨＴＭＬファイル１４と、
　ｈｔｔｐｄ１２が稼動していることにより、ＷＷＷサーバとしての機能を果し、ＣＧＩプログラム１６によりＦＡＸサービスの機能を実現し、ＦＡＸ送信部分としてＦＡＸフォーマット生成／送信部２０と、ＦＡＸ通信部２２とが設けられているＦＡＸサーバ１０とから構成され、
　クライアントは、クライアント上で可動しているブラウザ１００を用いてＦＡＸサーバ１０のｈｔｔｐｄ１２に対し、接続要求を行い、
　ｈｔｔｐｄ１２は、ブラウザ１００を介して指示されたＵＲＬの内容にしたがって、ＦＡＸ送信画面をＨＴＭＬファイル１４からＨＴＭＬで記述されたファイルを取り出し、ブラウザ１００（クライアント上で稼働している）に送信し、
　クライアント上で稼働しているブラウザ１００は返送されてきたＨＴＭＬのファイルに基づき、ユーザに対しＦＡＸ送信画面を表示し、
　ユーザはブラウザ１００によって表示されたＦＡＸ送信画面において、文書名、パス名、ＦＡＸ番号、カバーシートの有無、解像度、更にそのファクシミリに付すべきコメントを、それぞれ入力し、各種のパラメータを設定した後、ユーザは送信ボタン３０を押下（クリック）することにより、実際にファクシミリの送信動作を行わせることができ、
　そのファクミリの送信動作は、ＣＧＩプログラム１６が、ｈｔｔｐｄ１２から送付されたパラメータの内容（ユーザが入力した内容）を解析してＦＡＸ送信部分に送付し、ＦＡＸフォーマット生成／送信部２０が、ＣＧＩプログラム１６からの指定に基づき、送信対象である文書が文書ファイル１８から取り出し、ＦＡＸフォーマットを生成し、生成されたＦＡＸフォーマットはＦＡＸ通信部２２に送信され、ＦＡＸ通信部２２はファクシミリの送信先のファクシミリ装置１１０を電話回線を通じて呼び出し、ＦＡＸフォーマットの送信を行うことを特徴とするもの。」
　
２−３−３．刊行物３（特開平５−１４５８０号公報）
　（ａ）「【０００７】【実施例】以下、添付図面を参照して本発明に係る好適な実施例を詳細に説明をする。図１は、本実施例に係るファクシミリ装置（以下、装置という）全体の構成を示すブロック図である。同図において、ＣＰＵ１は、ＲＯＭ２に格納された制御プログラムに従い、本装置全体の制御を行ない、ＲＡＭ３にはワークや制御データが一時的に保存される。また、イメージメモリ４は画像データをハンドリングするためのメモリであり、画像変換部５では解像度、紙サイズ、符号化方式を変換処理する。
【０００８】本装置では、原稿（画像）は画像読取り部（スキャナ）６にて読み取られ、画像記録部（プリンタ）７にてプリント出力される。また、回線制御部８にて、本装置と通信網との通信手順が制御され、ホストコンピュータ１５と装置との通信手順は、対ホストｉ／ｆ部９にて制御される。尚、ここでは、インターフェースとしてＳＣＳＩを採用している。
【０００９】ファイル管理部１０では、ファクシミリ装置内で作成されるドキュメント（文書）の管理を行ない、その文書は記憶装置１１に蓄積される。ファクシミリ装置としてのオペレーションは、操作部１２にて行なう。尚、上記回線制御部８と網、対ホストｉ／ｆ部９とホストコンピュータ１５とは、それぞれ専用ケーブル１３，１４にて接続される。」（刊行物３、段落【０００７】〜【０００９】）
　（ｂ）「【００４８】［ファイル情報要求コマンド処理］
本コマンドは、ファクシミリ装置内に管理されたファイルの情報をホストコンピュータに通知させるために用いられる。本実施例では、ファイル情報を要求するときに３種類のコマンド種別を用意し、それらに対応した情報をホストコンピュータに通知させる。図１９に、それらのコマンドについて示す。
【００４９】コマンド種別が「ファイルＩＤ一覧要求」の場合は、情報としてファクシミリ装置内に管理されたファイルのＩＤの一覧を通知する。「個別ファイル情報要求」の場合は、所定のファイルＩＤ、ページ番号を同時に指定し、図２０に示すようなファイル情報をホストに通知する。また、「最新ファイル情報要求」の場合は、最後に作成されたファイルのファイル情報を、図２０に示した形態でホストコンピュータに通知する。
【００５０】尚、ファイル情報要求コマンドは、スキャナコマンド、イメージメモリコマンド、通信コマンドに対して用意されているが、コマンド種別が「最新ファイル情報要求」の場合は、それぞれ読み取り要求コマンド、データライトコマンド、受信要求コマンド（ポーリング受信コマンドを含む）を実行したときに作成された最新のファイルの情報について通知する。
【００５１】コマンドの処理としては、図７−４のステツプＳ７０５で本コマンドと判断したならば、ステツプＳ７６０で、先に述べたコマンド種別に応じたファイル情報をホストコンピュータへ送出し、ステツプＳ７７１で正常ステータスを送出して処理を終了する。」（刊行物３、段落【００４８】〜【００５１】）
　（ｃ）「【００５６】［セッションオープンコマンド処理］
本コマンドは、所定の相手端末に対して発呼処理し、セッションレイヤまでの通信手順を制御するためのものである。図８−１のステツプＳ８０１で本コマンドと判断したならば、ステツプＳ８２０で、ホストコンピュータから指定されたアドレス情報、端末特性、端末能力情報を用いて発呼処理する。ステツプＳ８２１で、処理結果としてＲＳＳＰを受信し、正常に発呼処理が終了していると判断されれば、ステツプＳ８２３で正常ステータスの送出を行なう。しかし、ステツプＳ８２１でＲＳＳＮを受信する等、ｅｎｄ−ｔｏ−ｅｎｄでセッションレイヤまで接続できなかった場合は、ステツプＳ８２２で確認ステータスの送出を行ない処理を終了する。」（刊行物３、段落【００５６】）
　（ｄ）「【００６３】［送信要求コマンド］
本コマンドは、所定の文書ファイルを相手端末に送信させるためのコマンドである。尚、送信文書ファイルはあらかじめファクシミリ内部にファイル化されていることを前提とする。また、送信要求を受けるにあたり、本実施例においては２つの形態がある。１つ発呼送信要求であり、他の１つはセッションモード送信要求である。それぞれの処理の詳細については後述するが、大きな違いは発呼処理を含むか否かという点である。」（刊行物３、段落【００６３】）
　（ｅ）「【００７２】図９は、発呼送信処理を示す詳細フローチヤートである。同図において、ステツプＳ１００１で、装置の状態として発呼送信ができるか否かを確認し、通信回線がビジー等でその処理ができない状態ならば、ステツプＳ１００２で確認ステータスを送出して、その処理を終了する。一方、ステツプＳ１００１でのステータス確認の結果、発呼送信が可能と判定されると、ステツプＳ１００３で一旦ディストネクトして論理的にホストコンピュータとの接続を解放し、ストップコマンド等を受けつけられる状態にする。そして、ステツプＳ１００４において、ホストコンピュータから指定されたアドレス情報に基づき発呼処理をして、相手側とセッションレイヤまでの接続処理を行なう。
【００７３】ステツプＳ１００５で相手側と正常に接続できたか否かを判断し、正常に接続できないと判断されたならば、ステツプＳ１００６でリセレクト処理を行なってホストコンピュータとの論理的接続を行ない、続くステツプＳ１００７で確認ステータスの送出を行なって処理を終了する。ステツプＳ１００５での判断の結果、相手側と正常に接続できたときは、ステツプＳ１００８で、セッションレイヤまでの接続が終了後、ホストコンピュータから指定されたドキュメントの送信処理を行なう。そして、ステツプＳ１００９でドキュメント送信処理結果が異常と判断されれば、ステツプＳ１０１０へ進み、正常であればステツプＳ１０１２に進む。」（刊行物３、段落【００７２】〜【００７３】）
　
２−３−４．刊行物４（特開平８−３０７７０２号公報）
　（ａ）「【００６２】特に、図７Ａは、クライアント領域１０１内に表示されたインボックス１２０を示す図である。インボックスはスピードバー１０４のボタン１０４ａに対応して表示されたか、あるいはメニューバー１０２の「ファイル」メニュー項目から呼び出されたプルダウンメニューから「インボックス」命令を選択した結果として表示されたかのどちらかである。図７Ａから分かるように、スキャン文書画像、受信ファクシミリ画像だけでなく他のウィンドウズアプリケーションによって作成された文書画像などの、ファクシミリマネージャーに入ってくるファイル全てのリスト１２１がインボックス１２０にはある。標準では、リストは、最も最近に受け取った文書から古い文書というように時間順に並べられている。ユーザはリストから項目を選択し、前述したように、項目をドラッグ＆ドロップでコンテナバー１０５のコンテナアイコンのひとつに入れることができる。
【００６３】リスト１２１の各文書に対して、インボックス１２０は文書の種類（例えば、文書が保存画像文書か受信ファクシミリ文書かエンベロープ文書かどうか）をアイコンで示し、その他に文書の状態、文書が作成された日時、送信者および文書の名前、文書のページ数を表示する。リスト１２１のコラムヘッダはボタンになっており、ユーザはそれを押すことにより、文書を種類、状態、日時、発信者名、文書名、およびページ数でソートすることができる。ボタンを連続して押すことにより、２次ソートを行なうこともできる。すなわち、始めに「状態」を押し、その次に「日時」を押すことにより、リスト１２１は状態でソートされたあとに日時によってソートされる。
【００６４】インボックス１２０にはさらに情報ボックス１２２があり、リスト１２１で選択された項目に関する更に詳しい情報を表示している。インボックス１２０にはさらに微小表示領域１２４があり、リスト１２１で選択された文書を縮小表示する。縮小表示は文書の第１ページの縮小版であり、ページ領域１２５を操作することにより、ユーザは複数ページの文書を拾い読みすることができる。すなわち、縮小表示領域１２４があることにより、リスト１２１で選択された文書を特定するための視覚的手がかりをユーザは得ることができる。さらに、ダブルクリック等により縮小表示領域１２４を選択することにより、選択された文書が自動的に表示器１０５ｆに供給され、文書が縮小サイズよりも大きく表示される。表示に関しては、後ほど図１７とともにさらに詳しく述べる。
【００６５】インボックスウィンドウズ１２０において文書が選択されなければ、ファクシミリ、プリント、保存のアイコン（それぞれ１０５ｂ、１０５ｃ、１０５ｄ）を利用することはできない。文書を選択することでこれらのアイコンを使用することができるようになる。保存アイコンに項目がドラッグ＆ドロップされると、標準ウィンドウズ「セイブ・アズ」が開き、ファイル名および保存先を問われる。文書をプリントアイコン１０５ｃにドラッグ＆ドロップすると、選択された文書がプリントされる。最後に、ファクシミリアイコン１０５ｄにドラッグ＆ドロップを行なうと、ファックス送信対話画面が開き、受信ファックスの転送やスキャン画面の送信を容易に行なうことができる。プリントおよびファックスは、他で述べたように、インタフェース通信モジュールと協調して行なわれる。」（刊行物４、段落【００６２】〜【００６５】）
　
２−３−５．刊行物５（特開平３−２８９７５６号公報）
　（ａ）「該電子メール発信装置１９は画像データと個人識別番号とを分離し（ステップＳ１５）、次いで該画像データを電子メール用のフォーマットに変換する（ステップＳ１６）。なお、該変換の詳細は、後で説明する。次に、該個人識別番号に対応する電子メールアドレスを前記第５図のテーブルから求め、該電子メール用アドレスに変換後の画像データを送る動作をする（ステップＳ１７）。」（刊行物５、４頁右下欄６〜１４行）
　
２−４．対比・判断
２−４−１．請求項１について
　請求項１に係る発明（以下、本件発明１という。）と刊行物２に記載の発明とを対比すると、
刊行物２の「ＦＡＸ通信部」は、下記の点を除いて本件発明１の「ファクミリ通信手段」に、
刊行物２の「文書ファイル」は、下記の点を除いて本件発明１の「蓄積手段」に、
刊行物２の「ＨＴＭＬ（ハイパーテキストマークアップランゲージ）」は、本件発明１の「文書構造記述言語」に、それぞれ相当し、
刊行物２のものも、ｈｔｔｐｄ１２が稼動していることにより、ＷＷＷサーバとしての機能を果しているから、下記の相違点はあるものの本件発明１のＷＷＷサーバー手段に相当するものが有り、
刊行物２のものも、ユーザが文書名、ＦＡＸ番号を入力して送信ボタンを押すと、実際のファクシミリの送信動作を行うものであり、また、文書名を入力することは画情報を選択していることでもあり、さらに、全体的に制御をされているのであるから、下記の相違点はあるものの本件発明１の制御手段に相当するものがあり、
また、全体として、ネットワークに接続されたファクシミリ装置であるともいえるから、
両者は、次の点で一致している。
「電話回線を介して画情報を送受信するファクシミリ通信手段と、
　画情報をファイル名を付けて蓄積する蓄積手段と、
　要求のあった端末に文書構造記述言語により生成されたファイルを送出するＷＷＷサーバー手段と、
　前記端末から宛先番号を指定して送信指示を受けると、ファクシミリ転送のための処理を実行して指定された宛先番号へ選択された画情報を前記ファクシミリ通信手段からファクシミリ転送する制御手段と
を具備し、選択された画情報を、指示ボタンで転送指示を行えるようにしたネットワークファクシミリ装置。」
次の各点で相違する。
（相違点）
（相違点１）
　蓄積手段が、本件発明１では、ファクシミリ通信手段で受信した画情報をファイル名を付けて蓄積するのに対して、刊行物２では、文書ファイルが、ファクシミリ通信手段で受信した画情報をファイル名を付けて蓄積することについては記載されていない点。
（相違点２）
　本件発明１では、蓄積された画情報の受信リストと当該受信リスト中から選択された画情報の転送指示を行う指示ボタンとを１つの画面で表示する受信リストファイルを文書構造記述言語により生成するリスト生成手段が設けられているのに対して、刊行物２には、ＨＴＭＬで記述されたＦＡＸ送信画面については記載されているが、リスト生成手段については記載されていない点。
（相違点３）
　ＷＷＷサーバー手段が、本件発明１では、受信リストファイルを要求のあった端末に送出し、前記指示ボタンが選択されると宛先番号を入力するためのファイルを端末に送出するＷＷＷサーバー手段であるのに対して、刊行物２では、ＷＷＷサーバー手段に相当するものはあるが、ただ、ｈｔｔｐｄ１２がＦＡＸ送信画面ファイルを接続要求のあったクライアントのブラウザ１００に送出し、ブラウザ１００からＦＡＸ送信パラメータを受けているだけであり、本件発明１のようなＷＷＷサーバー手段については記載されていない点。
（相違点４）
　制御手段が、本件発明１では、端末から宛先番号を指定して送信指示を受けると、ファクシミリ転送のための処理を実行して指定された宛先番号へ選択された画情報を前記ファクシミリ通信手段からファクシミリ転送するのに対して、刊行物２では、ユーザがＦＡＸ送信画面上で文書名、ＦＡＸ番号を入力して送信ボタンを押すと、実際のファクシミリの送信動作により、指定したＦＡＸ番号の宛先へ、文書名を入力したことにより選択された画情報がＦＡＸ送信部からファクシミリ転送されるのであって、本件発明１のように、端末で受信リスト中から画情報が選択され、指示ボタンが選択されると宛先番号を入力するためのファイルを端末に送出し、端末から宛先番号を指定して送信指示を受けると、指定された宛先番号へ選択された画情報をファクシミリ転送するのではない点。
（相違点５）
　本件発明１が、受信リスト中から選択された画情報を表示することなく、指示ボタンで転送指示を行えるのに対して、刊行物２では、送信対象の文書を文書ファイルから取り出してファクシミリ転送している点。
　
上記相違点を検討する。
（相違点１）について
　一般的に、ファクシミリ装置において、ファクシミリ通信手段で受信した画情報をファイル名を付けて蓄積する蓄積装置を設けることは周知のことであるから、刊行物２の文書ファイルに、ファクシミリ通信手段で受信した画情報をファイル名を付けて蓄積するようにすることは当業者が容易に考えられることである。
（相違点２）について
　ファクシミリの受信リストの一覧表リストを作成して表示し選択することは、例えば、刊行物１、３、４等に示されているように周知のことである。とくに、刊行物３においては、ファクミリ装置内に管理されたファイルのＩＤの一覧をホストコンピュータに通知していることが記載されている。また、リスト一覧から必要なものを選択して用いることは普通に行われており、受信リスト一覧からも選択を行うものであるから、その選択を実行するために必要なボタン等を設けることも当然のことであると考えられる。
　刊行物２のように、ＨＴＭＬの記述で表現するものがあれば、周知である受信リストと、そのリストから選択するためボタンとを表示するための画面を、ＨＴＭＬの記述で表現したファイルを生成するための手段を設けて生成することは当業者が容易に考えられることである。
（相違点３）（相違点４）について
　ファクシミリ装置においても、ファクシミリ装置に蓄積されているファイルのリスト一覧を表示し、その中から選択して、ファクシミリ送信等の操作を行うことは周知のことである。
　刊行物２では、リストから文書名を選択することなく、ユーザ自身がＦＡＸ送信画面に直接文書名を入力しているが、これを、文書ファイルに記憶されているファイルの一覧リストを先に送ってもらって、そのリスト一覧の中から、文書名を選択した後に、ＦＡＸ送信画面に移り、ＦＡＸ番号を入力して、文書を転送することは、当業者ならば容易に想像がつくことである。
　そのようなことを行わせるために、本件発明１のように、ＷＷＷサーバー手段で、受信リストファイルを要求のあった端末に送出し、前記指示ボタンが選択されると宛先番号を入力するためのファイルを端末に送出し、制御手段で、端末から宛先番号を指定して送信指示を受けると、ファクシミリ転送のための処理を実行して指定された宛先番号へ選択された画情報を前記ファクシミリ通信手段からファクシミリ転送するようにすることは当業者が容易に考えられることである。
（相違点５）について
　刊行物２においては、送信対象の文書をクライアントの端末には送信していないから、クライアント側では送信対象の文書の画情報を表示していないから、上述のように刊行物２ではリストで選択をしていない点を除いては、選択された画情報を表示することなく、送信ボタンで転送指示を行っている。
　したがって、受信リスト中から選択された画情報を表示することなく、指示ボタンで転送指示を行うようにすることは当業者が容易に考えられることと認められる。
　
２−４−２．請求項２について（本件発明２）
　本件発明２と、刊行物２とを比較すると、上記相違点１〜５に加えて次の点で相違する。
（相違点６）
　本件発明２は、本件発明１の「受信リスト」、「受信リストファイル」を、「蓄積リスト」、「蓄積リストファイル」としたものであり、その点で刊行物２と相違している。
上記相違点検討すると、
（相違点６）について
　上記刊行物３には、図２０には、ファイルの種類として、スキャナよりインプットしたファイル、ホストより転送されたメモリに格納したファイル、ＦＡＸ受信ファイルと記載されているから、蓄積装置に蓄積するファイルをＦＡＸで受信したファイルのみではなく、蓄積ファイルとすることは格別のことではない。
　したがって、上記、請求項１で述べた同じ理由において、受信リスト、受信リストファイルを、蓄積リスト、蓄積リストファイルとして、上記相違点１〜５の判断のとおり、本件発明２は当業者が容易に考えられたものである。
　
２−４−３．請求項３について（本件発明３）
　本件発明３と、刊行物２とを比較すると、上記相違点１〜５に加えて次の点で相違する。
（相違点７）
　本件発明３は、ネットワークを介して通信するネットワーク通信手段を設けて、端末から電子メールアドレスを指定して送信指示を受けると、メール送信のための処理を実行して指定された電子メールアドレスへ選択された画情報を前記ネットワーク通信手段からメール送信する制御手段を具備しているのに対して、刊行物２には、そのようなことは記載されていない点。
上記相違点７について検討すると、
（相違点７）について
　ネットワークファクシミリ装置に電子メールをするための手段を設けることは周知のことであり（例えば、刊行物５等を参照。）、刊行物２において、文書ファイルのファクシミリ転送に加えて、電子メールでの転送を行うことは当業者が当然予測することである。
　したがって、刊行物２に、ネットワークを介して通信するネットワーク通信手段を設けて、端末から電子メールアドレスを指定して送信指示を受けると、メール送信のための処理を実行して指定された電子メールアドレスへ選択された画情報を前記ネットワーク通信手段からメール送信するようにすることは当業者が容易に考えられることである。
　したがって、本件発明３は、上記各刊行物のものより当業者が容易に考えられたものである。
　
２−４−４．請求項４について（本件発明４）
　本件発明４と、刊行物２とを比較すると、上記相違点１〜７の点で相違している。
　しかし、上記相違点については、上述したように、当業者が容易に考えられることであるから、本件発明４は、上記各刊行物に基づいて当業者が容易に考えられたものである。
　
２−４−５．請求項５について（本件発明５）　
　刊行物２に記載された発明は装置として表現されているが、これを方法として表現し得ることは自明であって、単なる表現上の問題にすぎない。
　また、請求項５乃至８（本件発明５乃至８）については、本件発明１乃至４を方法の発明で記載したものであり、装置と方法の発明である点で、それぞれの相違点は多少異なるが、本質的には同じであり、下記のように、本件発明５乃至８は、上記各刊行物に基づいて当業者が容易に発明をすることができたものと認められる。
　
本件発明５と刊行物２に記載の発明とを対比し、検討する。
両者は、次の点で一致している。
「画情報をファイル名を付けて蓄積手段に蓄積し、文書構造記述言語により生成されたファイルを要求のあった端末に送出して、選択された画情報を、前記端末から宛先番号を指定して送信指示を受けると、ファクシミリ転送のための処理を実行して指定された宛先番号へ選択された画情報を前記ファクシミリ通信手段からファクシミリ転送することを特徴とするファクシミリ通信方法。」
下記の点で相違する。
（相違点８）
　本件発明５では、ファクシミリ通信手段が電話回線を介して受信した画情報をファイル名を付けて蓄積手段に蓄積するのに対して、刊行物２では、文書ファイルが、ファクシミリ通信手段で受信した画情報をファイル名を付けて蓄積することについては記載されていない点。
（相違点９）
　本件発明５では、蓄積された画情報の受信リストと当該受信リスト中から選択した画情報の転送指示を行う指示ボタンとを１つの画面で表示する受信リストファイルを文書構造記述言語により生成するのに対して、刊行物２には、ＨＴＭＬで記述されたＦＡＸ送信画面については記載されているが、受信リストと当該受信リスト中から選択した画情報の転送指示を行う指示ボタンとを１つの画面で表示する受信リストファイルを文書構造記述言語により生成することについては記載されていない点。
（相違点１０）
　本件発明５では、前記受信リストファイルを要求のあった端末に送出し、前記受信リスト中から選択された画情報を表示することなく、前記指示ボタンで転送指示を行えるようにし、前記指示ボタンが選択されると宛先番号を入力するためのファイルを端末に送出しているのに対して、刊行物２では、ＨＴＭＬで記述されたＦＡＸ送信画面を要求のあった端末に送出し、文書名、ＦＡＸ番号を入力して送信の指示をしているが、そのような動作を行わせる前に、本件発明５のように、受信リストファイルを端末に送出し、受信リスト中から選択された画情報を表示することなく、指示ボタンで転送指示を行えるようにし、前記指示ボタンが選択されると宛先番号を入力するためのファイルを端末に送出することはしていない点。
　
上記相違点を検討すると、
（相違点８）について
　一般的に、ファクミリ装置において、ファクシミリ通信手段で受信した画情報をファイル名を付けて蓄積する蓄積装置を設けることは周知のことであるから、刊行物２の文書ファイルに、ファクシミリ通信手段で受信した画情報をファイル名を付けて蓄積するようにすることは当業者が容易に考えられることである。
（相違点９）について
　ファクスの受信リストの一覧表リストを作成して表示し選択することは、例えば、刊行物１、３、４等に示されているように周知のことである。とくに、刊行物３においては、ファクミリ装置内に管理されたファイルのＩＤの一覧をホストコンピュータに通知していることが記載されている。また、リスト一覧から必要なものを選択して用いることは普通に行われており、受信リスト一覧からも選択を行うものであるから、その選択を実行するために必要なボタン等を設けることも当然のことであると考えられる。
　刊行物２のように、ＨＴＭＬの記述で表現するものがあれば、周知である受信リストと、そのリストから選択するためボタンとを表示するための画面を、ＨＴＭＬの記述で表現したファイルを生成することは当業者が容易に考えられることである。
（相違点１０）について
　刊行物２においては、送信対象の文書をクライアントの端末には送信していないから、クライアント側では送信対象の文書の画情報を表示していないから、選択をした画情報を表示することなく、転送することは格別のことでない。
　また、ファクミリ装置において、ファクシミリ装置に蓄積されているファイルのリスト一覧を表示し、その中から選択して、ファクシミリ送信等の操作を行うことは周知のことである。
　たしかに、刊行物２では、リストから文書名を選択することなく、ユーザ自身がＦＡＸ送信画面に直接文書名を入力している。しかし、この刊行物２において、文書ファイルに記憶されているファイルの一覧リストを先に送ってもらって、そのリスト一覧の中から、文書名を選択した後に、ＦＡＸ送信画面に移り、ＦＡＸ番号を入力して、文書を転送することは、当業者ならば容易に想像がつくことである。
　そのようなことを行わせるために、本件発明５のように、受信リストファイルを要求のあった端末に送出して、前記受信リスト中から選択された画情報を表示することなく、前記指示ボタンで転送指示を行えるようにし、前記指示ボタンが選択されると宛先番号を入力するためのファイルを端末に送出し、前記端末から宛先番号を指定して送信指示を受けると、ファクシミリ転送のための処理を実行して指定された宛先番号へ選択された画情報を前記ファクシミリ通信手段からファクシミリ転送するようにすることは当業者が容易に考えられることである。
　
２−４−６．請求項６について（本件発明６）
　本件発明６と刊行物２に記載の発明とを対比すると、上記相違点８〜１０に加えて、次の点で相違する。
（相違点１１）
　本件発明６は、本件発明５の「受信リスト」、「受信リストファイル」を、それぞれ「蓄積リスト」、「蓄積リストファイル」としたものであり、その点で刊行物２と相違している。
上記相違点検討すると、
（相違点１１）について
　上記刊行物３には、図２０には、ファイルの種類として、スキャナよりインプットしたファイル、ホストより転送されたメモリに、格納したファイル、ＦＡＸ受信ファイルと記載されているから、蓄積装置に蓄積するファイルをＦＡＸで受信したファイルのみではなく、蓄積ファイルとすることは格別のことではない。
　したがって、上記、請求項５で述べた同じ理由において、受信リスト、受信リストファイルを、蓄積リスト、蓄積リストファイルとして、上記相違点８〜１０の判断のとおり、本件発明６は当業者が容易に考えられたものである。
　
２−４−７．請求項７について（本件発明７）
　本件発明７と、刊行物２とを比較すると、上記相違点８〜１０に加えて次の点で相違する。
（相違点１２）
　本件発明７は、指示ボタンが選択されると宛先番号又は電子メールアドレスを入力するためのファイルを端末に送出し、前記端末から電子メールアドレスを指定して送信指示を受けると、メール送信のための処理を実行して指定された電子メールアドレスへ選択された画情報を前記ネットワーク通信手段からメール送信するのに対して、刊行物２には、そのようなことは記載されていない点。
上記相違点１２について検討すると、
（相違点１２）について
　ネットワークファクシミリ装置に電子メールをするための手段を設け、電子メールの送受信を行うことは周知のことであり（例えば、刊行物５等を参照。）、刊行物２において、文書ファイルのファクシミリ転送に加えて、電子メールでの転送を行うことは当業者が当然予測することである。
　したがって、刊行物２に、電子メール送受信の機能を持たせて、指示ボタンが選択されると宛先番号又は電子メールアドレスを入力するためのファイルを端末に送出すると共に、前記端末から電子メールアドレスを指定して送信指示を受けると、メール送信のための処理を実行して指定された電子メールアドレスへ選択された画情報をネットワーク通信手段からメール送信するようにすることは当業者が容易に考えられることである。
　したがって、本件発明７は、上記各刊行物のものより当業者が容易に考えられたものである。
　
２−４−８．請求項８について（本件発明８）
　本件発明８と、刊行物２とを比較すると、上記相違点８〜１２の点で相違している。
　しかし、上記相違点は、上記に述べたように、当業者が容易に考えられることであるから、本件発明８は、上記各刊行物に基づいて当業者が容易に考えられたものである。
　
２−５．むすび
　以上のとおりであるから、本件請求項１乃至８に係る発明は、上記刊行物１〜５に基づいて当業者が容易に発明をすることができたものであるから、本件請求項１乃至８に係る発明についての特許は特許法第２９条第２項の規定に違反してされたものである。
　したがって、本件発明についての特許は、特許法第１１３条第２号に該当し、取り消されるべきものである。
　よって、結論のとおり決定する。
【異議決定日】
平成１６年８月３０日（２００４．８．３０）